(57)【特許請求の範囲】
【請求項１】
建物の窓開口部に設けられた既設サッシの上下枠及び縦枠の内方に新設サッシを配置固定した改装サッシにおいて、
既設サッシの下枠の上面部から上方に突出した障子案内用外レールを切除し、
既設サッシの下枠の屋内側の端部と新設サッシの下枠の屋内側の端部とを屋内側取付部材を介して結合し、既設サッシの下枠の屋外側の端部と新設サッシの下枠の屋外側の端部とを屋外側取付部材を介して結合するとともに、上記屋内側取付部材の上部と上記窓開口部との間には化粧カバーを取り付け、化粧カバーの屋外側端部を上記新設サッシに当接させるとともに、上記屋外側取付部材の室内側端部は、既設サッシの下枠に形成された段部に当接させた状態で前記下枠上面に取り付けられることを特徴とするサッシの改装構造。
【請求項２】
上記屋内側取付部材をさらに既設サッシ側の第１の取付部材と新設サッシ側の第２の取付部材とに分割し、第１の取付部材を既設サッシの屋内側の端部に固定し、第２の取付部材を新設サッシの屋内側の端部に固定するとともに、上記第１の取付部材と第２の取付部材とを重合させて一体に結合したことを特徴とする、請求項１に記載のサッシの改装構造。
【請求項３】
上記屋外側取付部材を、上又は下向きに開口するコ字形部とコ字形部の一方の片の端部から横に延びる固定片とから構成し、上記コ字形部の他方の片を上記新設サッシの屋外側の端部に固定し、上記固定片を既設サッシの屋外側の端部に固定したことを特徴とする、請求項２に記載のサッシの改装構造。
【請求項４】
建物の窓開口部に設けられた既設サッシに新設サッシを施工する改装方法において、既設サッシの下枠の上面部から上方に突出した障子案内用外レールを切除し、かつ新設サッシの縦枠下部の屋内側コーナー部を切除しておき、
上記新設サッシを既設サッシの上に、やや屋外側に持ち出して配置し、
既設サッシの下枠の屋内側の端部と新設サッシの下枠の屋内側の端部とを屋内側取付部材を介してビス止め結合するとともに、既設サッシの下枠の屋外側の端部と新設サッシの下枠の屋外側の端部とを屋外側取付部材を介してビス止め結合し、
さらに、上記屋内側取付部材の上部と上記窓開口部の下部との間には化粧カバーを取り付け、上記屋外側取付部材の室内側端部を、既設サッシの下枠に形成された段部に当接させた状態で下枠上面に取り付けたことを特徴とするサッシの改装施工方法。
【発明の詳細な説明】
【技術分野】
【０００１】
本発明は、既設サッシを新しいサッシに代えるに際し、既設サッシを取り付けた状態のまま新しいサッシを取り付け可能としたサッシの改装構造及びその施工方法に関する。
【背景技術】
【０００２】
一般に、コンクリート製の建物躯体の窓開口部にサッシを取り付けるときは、特許文献１に示されるように、サッシの上枠、縦枠及び下枠に、それぞれ２つの係止縁を形成しておき、それぞれの係止縁にアンカー金物を係止し、さらにアンカー金物を建物躯体から露出した鉄筋に溶接することによって固定している。したがって、建物躯体に既にサッシが取り付けられているときは、既設のサッシを取り外してから、新しいサッシに交換することが考えられる。
【０００３】
ところが、既設サッシの取り外し作業には手間や時間や費用がかかるので煩わしい。そのため、既設サッシを窓開口部に取り付けた状態のまま新しいサッシを取り付ける改装サッシが知られている（特許文献２参照）。
【０００４】
これは、既設サッシの内方に新設サッシを配置し、新設サッシを既設サッシに固定するものである。このような改装方法は、既設サッシの取り外し作業を伴わないので、短期間で改装工事を終了することができるというメリットがある。
【特許文献１】実開平３−７４７８７号
【特許文献２】特開２００７−１２０２４５
【発明の開示】
【発明が解決しようとする課題】
【０００５】
しかしながら、上述のような改装方式では、既設サッシをそのままにしてよいという半面、新設サッシを改装専用のサッシにしなければならないので、改装コストを十分に低減することはできなかった。
【０００６】
本発明は、既設サッシであれ既存のサッシであれ、建物窓開口部に対する取付構造は変わらないことに着目し、新設サッシを既存のサッシとし、既設サッシと既存のサッシを双方利用することによって改装コストを劇的に低減することができるサッシの改装構造及びその施工方法を提供することをその課題とする。
【課題を解決するための手段】
【０００７】
前記課題を解決するため、請求項１に係る発明は、建物の窓開口部に設けられた既設サッシの上下枠及び縦枠の内方に新設サッシを配置固定した改装サッシにおいて、既設サッシの下枠の上面部から上方に突出した障子案内用外レールを切除し、既設サッシの下枠の屋内側の端部と新設サッシの下枠の屋内側の端部とを屋内側取付部材を介して結合し、既設サッシの下枠の屋外側の端部と新設サッシの下枠の屋外側の端部とを屋外側取付部材を介して結合するとともに、上記屋内側取付部材の上部と上記窓開口部との間には化粧カバーを取り付け、化粧カバーの屋外側端部を上記新設サッシに当接させるとともに、上記屋外側取付部材の室内側端部は、既設サッシの下枠に形成された段部に当接させた状態で前記下枠上面に取り付けられることを特徴とする。
【０００８】
請求項２に係る発明は、請求項１において、上記屋内側取付部材をさらに既設サッシ側の第１の取付部材と新設サッシ側の第２の取付部材とに分割し、第１の取付部材を既設サッシの屋内側の端部に固定し、第２の取付部材を新設サッシの屋内側の端部に固定するとともに、上記第１の取付部材と第２の取付部材とを重合させて一体に結合したことを特徴とする。
【０００９】
請求項３に係る発明は、請求項２において、上記屋外側取付部材を、上又は下向きに開口するコ字形部とコ字形部の一方の片の端部から横に延びる固定片とから構成し、上記コ字形部の他方の片を上記新設サッシの屋外側の端部に固定し、上記固定片を既設サッシの屋外側の端部に固定したことを特徴とする。
【００１０】
請求項４に係る発明は、建物の窓開口部に設けられた既設サッシに新設サッシを施工する改装方法において、既設サッシの下枠の上面部から上方に突出した障子案内用外レールを切除し、かつ新設サッシの縦枠下部の屋内側コーナー部を切除しておき、上記新設サッシを既設サッシの上に、やや屋外側に持ち出して配置し、既設サッシの下枠の屋内側の端部と新設サッシの下枠の屋内側の端部とを屋内側取付部材を介してビス止め結合するとともに、既設サッシの下枠の屋外側の端部と新設サッシの下枠の屋外側の端部とを屋外側取付部材を介してビス止め結合し、さらに、上記屋内側取付部材の上部と上記窓開口部の下部との間には化粧カバーを取り付け、上記屋外側取付部材の室内側端部を、既設サッシの下枠に形成された段部に当接させた状態で下枠上面に取り付けたことを特徴とする。
【発明の効果】
【００１１】
請求項１に係る発明によれば、既存のサッシとし、既設サッシと既存のサッシを双方利用し、新設サッシを既設サッシの上に重ねるのではなく、屋外側に持ち出した状態で簡単な構造の取付部材を介して取り付けることができるので、わざわざ改装専用のサッシを製造する必要がなく、改装コストを格段に低減することができる。
【００１２】
また、新設サッシは屋内側取付部材と屋外側取付部材の幅分だけ屋外側に持ち出しされた状態で配置されているため、既設サッシの直上に配置される場合に比べて、新設サッシによって形成される開口面積を大きくすることができる。
【００１３】
さらに、既設サッシの内方に新設サッシを配置した構成により、既設サッシと新設サッシとの接合部分が露出することになるが、既設サッシと新設サッシとの隙間は化粧カバーで覆われ、接合部分は見えないので内観が向上する。
【００１４】
請求項２に係る発明によれば、屋内側取付部材をさらに既設サッシ側の第１の取付部材と新設サッシ側の第２の取付部材とに分割し、第１の取付部材を既設サッシの屋内側の端部に固定し、第２の取付部材を新設サッシの屋内側の端部に固定するとともに、上記第１の取付部材と第２の取付部材とを重合させて一体に結合した構成であるから、新設サッシの屋外側への持ち出し量をより大きくなるように取り付けられ、改装によってサッシ自体を外壁に近づけるように施工する最近の傾向にマッチさせることができる。
【００１５】
また、第２の取付部材を第１の取付部材の上に重合させて結合するので、多少の寸法誤差があっても、重合幅を変えることによって上記誤差を吸収させることができる。
【００１６】
請求項３に係る発明によれば、屋外側取付部材を、上又は下向きに開口するコ字形部とコ字形部の一方の片の端部から横に延びる固定片とから構成し、上記コ字形部の他方の片を上記新設サッシの屋外側の端部に固定し、上記固定片を既設サッシの屋外側の端部に固定した構成であるから、上記コ字形部を上向きに開口させて配置するか下向きに開口させて配置するかによって、下枠の下方への沈み量を調整して新設サッシによる開口面積を調整することができる。
【００１７】
請求項４に係る発明によれば、まず改装施工の邪魔にならないように既設サッシの下枠の上面部から上方に突出した障子案内用外レールを切除し、かつ新設サッシの縦枠下部の屋内側コーナー部を切除しておき、さらに上記新設サッシを既設サッシの上に、屋外側に持ち出して配置し、既設サッシの下枠の屋内側の端部と新設サッシの下枠の屋内側の端部とを屋内側取付部材を介してビス止め結合し、その後に既設サッシの下枠の屋外側の端部と新設サッシの下枠の屋外側の端部とを屋外側取付部材を介してビス止め結合し、最後に上記屋内側取付部材の上部と上記窓開口部の下部との間には化粧カバーを取り付けるという手順なので、スムーズに施工作業を進めることができる。
【００１８】
なお、新設サッシは、屋内側取付部材と屋外側取付部材によって予め取付位置の位置出しをしておき、新設サッシを既設サッシの屋外側から内側に嵌め込むように移動付部材と屋外側取付部材に当接させてビス止めすればよいので、取付作業を容易に行うことができる。
【発明を実施するための最良の形態】
【００１９】
次に、本発明の実施形態をいくつか説明する。なお、改装形態１において示したものと同じ符号を他の介装形態でさせ、屋内側取示したときは、同じ部材を表わすものとし、説明を省略する。
【００２０】
［改装形態１］
図１は本発明に係る改装サッシの縦断面図、図２はその一部の横断面図である。
【００２１】
（既設サッシの構成）
上図において符号Ａは腰窓タイプの既設サッシを示す。この既設サッシＡはビル等の建物躯体の窓開口部１に設けられたサッシで、それぞれアルミニウム押出型材からなる上枠２、下枠３及び左右の縦枠４とから方形に枠組みされている。
【００２２】
上枠２は、上枠本体２ａの屋外側と屋内側の両端から上方にＬ形縁５を形成し、その下部には屋外側と中央部と屋内側に３本の突縁６、７、８が形成され、これらの突縁６、７、８によって屋外側と屋内側に障子案内溝が形成されている。
【００２３】
下枠３は、屋外側に傾斜した下枠本体３ａの屋外側の端部から下にＺ字形の水切り縁１０を形成し、屋内側の端部上方には立上り壁１１を、その下方には垂下壁１２を連続形成するとともに、下枠本体３ａの上面には外障子案内用外レール１３（図３、図４参照）と内障子案内用の内レール１４とが上方に突出形成されている。
【００２４】
さらに、縦枠４は、縦枠本体４ａの屋外側と屋内側の両端から外方にＬ形縁１５を形成し、その内方には屋外側と屋内側と屋外側近傍とにそれぞれ突縁１６、１７を突出形成したものである。
【００２５】
上記既設サッシＡは、上記縦枠４と下枠３の屋内側に設けたアングル材１８を介して建物窓開口部１に固定されている。
【００２６】
上記構成により、既設サッシＡの屋外側の端部は面一になるように形成されている。なお、既設サッシＡの屋内側には額縁２０が配設されている。
【００２７】
（新設サッシの構成）
次に、符号Ｂは新設サッシで、この新設サッシＢは改装専用ではなく、既存のサッシである。
【００２８】
上枠２１は、上枠本体２１ａの屋外側の端部から上方に突出するＺ形縁２２と屋内側の端部から上方に突出するＬ形の係止縁２３を形成し、下方には４本の突縁２４、２５、２６、２７が形成されている。なお、Ｚ形縁２２の中途部には係止縁２８が形成されている。
【００２９】
縦枠３０は、縦枠本体３０ａの両端の屋外側にはＬ字形の係止縁３１、３１を、屋内側に板状突縁３２をそれぞれ突出している。
【００３０】
下枠３３は、下枠本体３３ａの屋内側の中空部３４から下方に傾斜する傾斜部を介して水平部３５に続き、中空部３４には立上げ縁３６と、内障子案内用の内レール３７と、外障子との隙間を埋めるための水平の張出し縁３８とが形成され、また水平部３５には外障子案内用の外レール４０と屋外側の端部に設けられた網戸の摺動溝４１とが設けられている。さらに、屋外側の端部下方にはＬ字形の垂下縁４２が形成されている。なお、下枠本体３３ａの屋内側と屋外側とには係止縁４３、４４が形成されている。
【００３１】
なお、上記新設サッシＢの上枠２１、縦枠３０及び下枠３３は既存の枠材で、コンクリート躯体の窓開口部に直接に取り付けるときは、図示はしないが、特許文献１に示すように、上枠２１のＺ形縁２２の中途部に形成された係止縁２８とＬ形の係止縁２３、縦枠３０の２つの係止縁３１、３１及び下枠３３の下方に形成された係止縁４３、４４は、それぞれコンクリート躯体から露出した鉄筋に溶接したアンカー金物に係止させて固定するためのものである。
【００３２】
（改装施工）
次に、上枠２１と両側縦枠３０と下枠３３とを方形に枠組みした新設サッシＢを窓開口部１に取り付けるときは、まず図３、図４に示されるように、既設サッシＡの下枠３の上面部から突出した障子レールのうち外レール１３を切除するとともに、新設サッシＢの縦枠３０の下部の屋内側コーナー部を屋内側が高くなるように切除しておく。その理由は、新設サッシＢを、既設サッシＡの内側に嵌め込むとき、図４に示されるように、既設サッシＡの下枠３の外レール１３が新設サッシＢの係止縁４４と干渉し、また縦枠３０の斜線部分を切除しないと、コーナー部４５が既設サッシＡの内レール１４に干渉するからである。
【００３３】
なお、縦枠３０の下部には外側から略五角形のステンレス製の補強プレート４６が溶接固定されている。補強プレート４６はステンレス製で切断しにくいので、この部分は残し、その先の三角形状の部分だけを切断する。
【００３４】
そして、既設サッシＡの上面部の屋内側と屋外側の各端部に、それぞれ長尺の屋内側取付部材４７と屋外側取付部材４８を取り付けておく。屋内側取付部材４７は、水平片５０とその両端の垂下片５１、５２とから下向きに開口するコ字形形状とした金属製部材で、屋内側垂下片５１を既設サッシＡの屋内側端部の立上り壁１１にビス止め固定により結合する。また、屋外側取付部材４８はＬ字形の金属製部材で、一方の片５３を既設サッシＡの屋外側の上面にビス止め固定により結合しておく。
【００３５】
次に、新設サッシＢを、図１、図２のように既設サッシＡの内方に嵌め込み状に取り込み、屋内側取付部材４７の屋内側垂下片５１の屋内側に形成した作業孔（図示せず）からビス５５を通して屋外側垂下片５２を新設サッシＢの屋内側端部の係止縁４３に止着して結合する。同様に、新設サッシＢの屋外側端部の垂下縁４２と水切り縁５６とを屋外側からビスにより屋外側取付部材４８の他方の片５７に共締めして結合する。
【００３６】
なお、上枠２１と縦枠３０は、既設サッシＡに補助金具５８、５９と取付部材６０、６１とを介して新設サッシＢがビス止め固定されている。
【００３７】
さらに、屋内側取付部材４７の上部と上記窓開口部１との間には化粧カバー６２が配置され、屋内側取付部材４７にリベット６９で固定されている。化粧カバー６２の屋外側端部は上記新設サッシＢの立上げ縁３６に当接している。
【００３８】
新設サッシＢの上枠２１と縦枠３０も同様に化粧カバー６３、６４で覆われている。これらの化粧カバー６３、６４はいずれもリベットによって取付部材６０、６１に固定されている。
【００３９】
以上のように、既設サッシＡと既存の新設サッシＢを双方利用し、新設サッシＢの下枠３３を既設サッシＡの下枠３の上に重ねるのではなく、屋外側に持ち出した状態で簡単な構造の取付部材４７、４８を介して取り付けることができるので、わざわざ改装専用のサッシを製造する必要がなく、改装コストを格段に低減することができる。
【００４０】
また、新設サッシＢは、屋内側取付部材４７と屋外側取付部材４８によって予め取付位置の位置出しをしておき、新設サッシＢを既設サッシＡの屋外側から内側に嵌め込むように移動させ、屋内側取付部材４７と屋外側取付部材４８に当接させてビス止めすればよいので、取付作業を容易に行うことができる。
【００４１】
また、新設サッシＢは屋内側取付部材４７と屋外側取付部材４８の幅分だけ屋外側に持ち出しされた状態で配置されているため、既設サッシＡの直上に配置される場合に比べて、新設サッシＢによって形成される開口面積を大きくすることができる。
【００４２】
さらに、既設サッシＡの内方に新設サッシＢを配置した構成により、既設サッシＡと新設サッシＢとの接合部分が露出することになるが、既設サッシＡと新設サッシＢとの隙間は化粧カバー６２で覆われ、接合部分は見えないので内観が向上する。
【００４３】
［改装形態２］
次に、新設サッシＢの取付態様については、上述の例に限定されない。例えば、図５に示すものは、テラスタイプのサッシの形態であるが、既設サッシＡの下枠３の屋内側の端部の立上り壁１１がテラスの窓開口部の下縁部６６と同じになるように設けられているときは、窓開口部の下縁部６６にアングル材６５を固定し、このアングル材６５に上述の要領で屋内側取付部材４７を固定すればよい。化粧カバー６２も上述と同じようにして屋内側取付部材４７の上部と上記窓開口部１との間に配置する。この化粧カバー６２はテラスの開口部に設けられるものであるから、傾斜をつけて躓かないように形成されている。
【００４４】
なお、化粧カバー６２には傾斜部分との境界に突条７４が形成されているから、結露水が室内側に流れ込むのを有効に防止することができる。
【００４５】
上記構成によっても、上述の改装形態１の場合と同じ効果を得ることができる。
【００４６】
［改装形態３］
また、新設サッシＢの取付態様については、新設サッシの屋外側への持ち出し量をより大きくなるように取り付けてもよい。この場合、既設サッシＡの屋内側端部と新設サッシＢの屋内側の端部との間隔は大きくなるので、図３に示されるような屋内側取付部材４７は使いにくい。したがって、図６に示されるように、屋内側取付部材４７をさらに既設サッシＡ側の第１の取付部材６７と新設サッシＢ側の第２の取付部材６８とに分割して２ピース構成とし、図7に示すように、第１の取付部材６７を既設サッシＡの屋内側の端部に固定し、また第２の取付部材６８は予め新設サッシＢの屋内側の端部に固定しておき、新設サッシＢの取付時に第１の取付部材６７と第２の取付部材６８とを重合させ、化粧カバー６２とともにリベット６９等で一体に結合すればよい。
【００４７】
また、この場合、屋外側取付部材４８を、下向きに開口するコ字形部７０とコ字形部７０の一方の片７１の端部から横に延びる固定片７２とから構成し、上記固定片７２を既設サッシＡの上面部の屋外側の端部に調整材５４を介して固定する。
【００４８】
上記構成の新設サッシＢを既設サッシＡに取り付けるときは、図７に示すように、既設サッシＡの外レール１３を切除し、縦枠４の屋内側コーナー部を切除するとともに、予め既設サッシＡの屋内側の端部に第１の取付部材６７をビス止め固定し、屋外側取付部材４８を既設サッシＡの屋外側にビス止め固定し、さらに新設サッシＢの屋内側の端部に第２の取付部材６８をビス止め固定しておく。そして、新設サッシＢを屋外側から既設サッシＡの内方に嵌め込み状に取り込み、新設サッシＢの第２の取付部材６８を既設サッシＡの第１の取付部材６７の上に重合させ、重合した第１の取付部材６７と第２の取付部材６８とを化粧カバー６２とともにリベット６９で止着固定するとともに、新設サッシＢの屋外側の垂下片４２を屋外側取付部材４８の屋外側の端部の片７３に当接して位置決めし、水切り縁５６と共締めして結合する。
【００４９】
上記構成によれば、新設サッシＢの屋外側への持ち出し量がより大きくなるように取り付けられるので、改装によってサッシ自体を外壁Ｐに近づけるように施工する最近のビルの意匠傾向にマッチさせることができる。
【００５０】
また、第２の取付部材６８を第１の取付部材６７の上に重合させて結合するので、多少の寸法誤差があっても、重合幅を変えることによって上記誤差を吸収させることができる。
【００５１】
［改装形態４］
なお、上記屋外側取付部材４８を、図８に示されるように、コ字形部７０が上向きに開口するように取り付けてもよい。これにより、新設サッシＢの屋外側への持ち出し量がより大きくなるように取り付けられるとともに、新設サッシＢの下枠３３をより下方に沈めて取り付けることができるので、テラスタイプの改装サッシに好適である。
【００５２】
また、上記形態においても、化粧カバー６２には傾斜部分との境界に突条７４が形成されているから、結露水が室内側に流れ込むのを有効に防止することができる。
【図面の簡単な説明】
【００５３】
【図１】本発明に係る改装サッシの縦断面図
【図２】上記改装サッシの縦枠の断面図
【図３】上記改装サッシの下枠の拡大断面図
【図４】既設サッシと新設サッシの干渉状態説明図
【図５】他の改装形態の下枠の拡大断面図
【図６】別の改装形態の下枠の分解図
【図７】図６の改装形態の下枠の拡大断面図
【図８】さらに別の改装形態の下枠の拡大断面図
【符号の説明】
【００５４】
Ａ    既設サッシ
Ｂ    新設サッシ
１    窓開口部
１３  外レール
４７  屋内側取付部材
４８  屋外側取付部材
６７  第１の取付部材
６８  第２の取付部材
【図１】
0005386703.tif 000002
【図２】
0005386703.tif 000003
【図３】
0005386703.tif 000004
【図４】
0005386703.tif 000005
【図５】
0005386703.tif 000006
【図６】
0005386703.tif 000007
【図７】
0005386703.tif 000008
【図８】
0005386703.tif 000009